(57)【要約】【課題】側壁を透して水中を観察でき、排水および風通しが良好であるために松等の樹木でも根腐れを招くことなく育成し、また、飽きることなく鑑賞できるように景観を変え得る模様替え式の盆栽様水槽を提供する。【解決手段】透明な浅底の水槽内に、鑑賞魚が泳ぐよう水が張られる池と、盆栽様に樹木が植えられる庭とを区分するように、底から上端近くまでの高さの仕切板を立設し、盆栽様に庭土に樹木が繁茂する庭風鉢植を仕切板に沿うような形に造形し、仕切板の上端に掛けてその内側に庭風鉢植を取替え可能に嵌め込み、庭風鉢植の取替えにより庭風の模様を変えうるように構成した。【選択図】　　図１
2004121130.tif 000002
【特許請求の範囲】
【請求項１】
透明な浅底の水槽内に、鑑賞魚が泳ぐよう水が張られる池と、盆栽様に樹木が植えられる庭とを区分するように、底から上端近くまでの高さの仕切板を立設し、盆栽様に庭土に樹木が繁茂する庭風鉢植を仕切板に沿うような形に造形し、仕切板の上端に掛けてその内側に庭風鉢植を取替え可能に嵌め込み、庭風鉢植の取替えにより庭風の模様を変えうるように構成したことを特徴とする模様替え式の盆栽様水槽。
【請求項２】
庭風鉢植の下に、循環ポンプの吸引により池から水が流れる間隔を設け、その間隔に、循環ポンプの吸引力が波及して水が通過する濾過器を内装したことを特徴とする請求項１記載の模様替え式の盆栽様水槽。
【請求項３】
庭風鉢植の主体となる鉢容器の周縁に、仕切板の上端に掛かるフック断面の縁取りを形成したことを特徴とする請求項１または２記載の模様替え式の盆栽様水槽。
【発明の詳細な説明】
【０００１】
【発明の属する技術分野】
この発明は、透明な容器の中に水とともに盆栽や岩等をレイアウトした鑑賞用の水槽ではあるが、風通しが良く浅底である透明な箱に庭や川、水等の模様を象りその様相を変えうるようにした模様替え式の盆栽様水槽に関する。
【０００２】
【従来の技術】
緑の少ない現代の生活では、インテリア感覚で部屋にちょっとした植物を置く人が多くなっている。それは、ストレス社会の現代人に大いなる安らぎを与えてくれるからである。鑑賞用としての水槽は、それだけに止まらず、水草の緑と水を同時に感じることができ、鑑賞魚も加わって日常では見られない大自然の空間をミニチアに現出してくれる。水槽の中に水草等の盆栽を加えた鑑賞用の水槽は、さらに鑑賞効果を高めたものである。
【０００３】
従来、鑑賞用としての模様替え式の盆栽様水槽は、一般的に、ガラスやアクリル樹脂等の壁からなる内部が透けて見える容器と、その上を塞ぐ蓋とからなり、内部には水を張るとともに岩を配置し、砂が敷かれた底床や岩に水草を繁茂させ、水中には鑑賞魚が泳いでいるようにレイアウトされる。
【０００４】
【発明が解決しようとする課題】
上記のような従来の盆栽様の水槽であると、水槽の底に岩を置き、岩に樹木を根づかせることを要するが、深底であり蓋が被せられるために、樹木の生育には適しなく根腐れをおこし、特に、元来、高山の岩上にも少ない水分で耐え抜く性質を有する松等の針葉樹の場合であると、仕立てることは不可能であり、盆栽は湿地や水辺に育つ草茎の種類に限られていた。
【０００５】
岩に樹木が根づいたとしても、それを取り替えて模様替えすることはできなく、常に同じ景観を見て飽きてくることになる。また、普通に盆栽を植える浅い素焼きの鉢の中に池を作ったときには、上からのみ見ることになるので、水中に魚が泳ぐ姿や水草が揺れる小世界をじっくりと鑑賞できなく、癒し効果の点で物足りなかった。
【０００６】
この発明は、上記のような実情に鑑みて、側壁を透して水中を観察でき、排水および風通しが良好であるために松等の樹木でも根腐れを招くことなく育成し、また、飽きることなく鑑賞できるように景観を変え得る模様替え式の盆栽様水槽を提供することを目的とした。
【０００７】
【課題を解決するための手段】
上記の目的を達成するために、この発明は、透明な浅底の水槽内に、鑑賞魚が泳ぐよう水が張られる池と、盆栽様に樹木が植えられる庭とを区分するように、底から上端近くまでの高さの仕切板を立設し、盆栽様に庭土に樹木が繁茂する庭風鉢植を仕切板に沿うような形に造形し、仕切板の上端に掛けてその内側に庭風鉢植を取替え可能に嵌め込み、庭風鉢植の取替えにより庭風の模様を変えうるように構成したことを特徴とする模様替え式の盆栽様水槽を提供する。
【０００８】
【作用】
上記の構成によれば、水槽として内部が透けて見えることはもちろん、浅い箱庭風として風通しが良好で樹木の盆栽の育成が可能である。また、庭風鉢植を取り替えることにより模様替えをなし得る。
【０００９】
【発明の実施の形態】
この発明は、盆栽様水槽において庭風鉢植７，８を取り替えて使用することができるものであって、その取替えについては、複数の庭風鉢植７，８をセットとして提供し、ユーザーにおいて選択的に取り付けて使用するようにしても良いし、業者が時々訪問して取り替えるようにしても良い。いずれの場合にも、盆栽様水槽から外されている庭風鉢植７，８は、それ自体で鑑賞されるし、外で英気を養わせて再度の使用に臨ませることもできる。
【００１０】
庭風鉢植７，８の本体としての鉢容９の材質については、特に限定するものではないが、プラスチックや素焼きが適している。その形状は、仕切板１９の形状とも関係して様々となり、普通の植木鉢に近い円形、楕円形、ひょうたん形等のような形態のときもあり得る。また、鉢植であるので鉢容器９には排水孔２８が設けられるが、その排水先は池５にすることもできるし、受け皿３にすることもできる。また、庭風鉢植７，８の下に間隔６は必ずしも設ける必要はないが、実施例のように間隔６を設けてそこに濾過器４３を見えないように体裁良く内装することができる（請求項２）。いずれにしても、庭風鉢植７，８の鉢容器９の周縁に仕切板１９，１９の上端に掛かる縁取り３９を設けると（請求項３）、庭風鉢植７，８を端整に安定して装着できる。
【００１１】
盆栽様水槽の全体のレイアウトは様々となる。後記実施例の場合、２個の庭風鉢植７，８を配置したが、１個であっても良いし３個以上であっても良い。また、両庭風鉢植７，８の間の奥に循環ポンプ２３により吸い上げた水が落下する滝１８を岩１７，１７に設けたので、庭風鉢植７，８の間が川１０となるものであるが、その底が吸引樋２２により上げ底となっている。しかし、さらに他の板材により川１０の底を高くして、池５に水が滝のように落下するようにしても良い。
【００１２】
【発明の効果】
以上説明したように、この発明の模様替え式の盆栽様水槽によれば、盆栽風に仕立てても樹木が根腐れを起こさないで生育し得るもので、側壁を透して水中を観察し、あるいは上から見たりして心に安らぎが得られることはことはもちろん、庭風鉢植の取替えにより模様を変えて飽きることなく楽しみながら、視点を変えてフレッシュな気持ちで鑑賞し英気を養い得るという優れた効果がある。
【００１３】
【実施例】
次に、この発明の実施例を図面に基づいて説明する。
【００１４】
図１は模様替え式の盆栽様水槽を示し、図６は同水槽において模様替えした状態を示す。また、図２ないし図５は図１に示す水槽について、全体断面図、全体分解図、部分分解図、部分拡大断面図を順次示すが、図６の模様替え式の盆栽様水槽についても模様替えがあるだけで同様の構成となる。
【００１５】
模様替え式の盆栽様水槽は、矩形で広く浅い底の水槽１と、それを支持する受け皿３とからなり、水槽１の中に鑑賞魚４を泳がせる池５を設け、池５を隔てて庭風鉢植７，８が配置され、池５に離れの小屋１１を立て、庭風鉢植７，８には針葉樹木１４や広葉樹木１５を植え、岩１６が配置される。また、離れる両庭風鉢植７，８の間の奥にも岩１７を配し、岩１７，１７の間に川１０に流れ込む滝１８が作られる。
【００１６】
水槽１は、厚さが５ｍｍのアクリル樹脂板により、幅が９０ｃｍ、奥行きが４５ｃｍ、高さが１５ｃｍの浅い箱型に組み立てられ、庭風鉢植７，８を作るために、底にアクリル樹脂の仕切板１９，１９を曲げて接着してある。その仕切板１９の高さを１０ｃｍとし、池５には４ｃｍの高さに砂を敷いて底床２１を設けてある。そして、水面２６の高さが水槽１の底から８ｃｍになるように設定され、池５に鑑賞魚４としてメダカ等を泳がせてある。また、両庭風鉢植７，８の間には底部に吸引樋２２を設け、吸引樋２２の奥端に循環ポンプ２３を内装してある。
【００１７】
庭風鉢植７，８は、皿様に浅い鉢容器９に、排水孔２８が散在する通水性の中敷き２４を設け、中敷き２４の上に庭土２７を入れたもので、中敷き２４を点在する支持部材３４，３４，・・で受けることにより、その下に水が溜まる空間３７を設け、空間３７から排水管３８により受け皿３に排水が流れるようになっている。３１が受け皿３からの排水口である。庭風鉢植７，８の支持については、鉢容器９の周縁に仕切板１９の上端に掛かる縁取り３９が設けられ、さらに、支持部材４１を点在させてそれによっても支持される。また、庭風鉢植８の下には、濾過器４３が設けられているので、それによっても支持される。
【００１８】
濾過器４３は、孔による通水性の容器４４を通水性の仕切り４５で二つに分け、その一方に綿の濾過材４７を詰め、他方に水の浄化機能を有するセラミックの石４８を詰めてある。そして、吸引樋２２に水が吸引されると、そこへ水が引かれることにより、小屋１１の近辺の池５からの水が濾過材４７と石４８を通って濾過されてから、吸引樋２２を通って循環ポンプ２３に吸い上げられ、それが岩１７，１７の間から滝１８となって落下するようになっている。なお、吸引樋２２の上には循環ポンプ２３の吐出口５０が設けられ（図３）、岩１７，１７の間にはその差込口５１が垂設される。また、池５の水が庭風鉢植７，８の下を抜けるように、仕切板１９には切欠５０が部分的に設けられる（図２）。
【００１９】
図６に示すように模様替えした状態では、両庭風鉢植７，８と、小屋１１と、岩１７が取り替えられている。したがって、樹木１４，１５や岩１６も異なっており、また、庭風鉢植８には土盛りにより新たに丘５２がある。
【図面の簡単な説明】
【図１】この発明の一実施例を示す模様替え式の盆栽様水槽の斜視図である。
【図２】図１のＡ−Ａ線矢視の断面図である。
【図３】同模様替え式の盆栽様水槽の分解斜視図である。
【図４】同模様替え式の盆栽様水槽における庭風鉢植の分解斜視図である。
【図５】図２のＢ部の拡大断面図である。
【図６】同実施例において模様替えした状態の模様替え式の盆栽様水槽を示す斜視図である。
【符号の説明】
１　水槽
４　鑑賞魚
５　池
６　間隔
７，８　庭風鉢植
９　鉢容器
１４，１５　樹木
１９　仕切板
２３　循環ポンプ
３９　縁取り
４３　濾過器
【図１】
2004121130.tif 000003
【図２】
2004121130.tif 000004
【図３】
2004121130.tif 000005
【図４】
2004121130.tif 000006
【図５】
2004121130.tif 000007
【図６】
2004121130.tif 000008